(57)【要約】【課題】出射された光が眼に入ることを防止する。【解決手段】光２００が出射される出射部１０１を対象物に押し当てた状態で対象物に光２００を照射する光照射装置であって、光源１０２と、出射部１０１が対象物に接触したことを検出する接触検出手段１０５と、使用者の瞳が光の照射領域以外に存在することを検出する瞳検出手段１０３と、接触検出手段１０５が接触を検出し、かつ、瞳検出手段１０３が瞳を検出した場合にのみ所定光量の光２００を出射部１０１から出射させる制御手段１０４とを備える光照射装置１００。【選択図】図１
2018201985.tif 000002
【特許請求の範囲】
【請求項１】
光が出射される出射部を対象物に押し当てた状態で対象物に光を照射する光照射装置であって、
光源と、
前記出射部が対象物に接触したことを検出する接触検出手段と、
使用者の瞳が光の照射領域以外に存在することを検出する瞳検出手段と、
前記接触検出手段が接触を検出し、かつ、前記瞳検出手段が瞳を検出した場合にのみ所定光量の光を前記出射部から出射させる制御手段と
を備える光照射装置。
【請求項２】
前記瞳検出手段は、
使用者の両方の瞳を同時に検出可能であり、
前記制御手段は、
前記瞳検出手段が使用者の両方の目を同時に検出した場合のみ瞳を検出したとして所定光量の光を前記出射部から出射させる
請求項１に記載の光照射装置。
【請求項３】
前記瞳検出手段は、
使用者の視線を検出可能であり、
前記制御手段は、
さらに、前記瞳検出手段が使用者の視線が所定の領域内にあることを検出した場合に所定光量の光を前記出射部から出射させる
請求項１または２に記載の光照射装置。
【請求項４】
情報を表示する表示装置をさらに備え、
前記所定の領域は、前記表示装置の表示画面内に配置される
請求項３に記載の光照射装置。
【請求項５】
光が照射される対象物の領域の情報を取得する情報取得手段をさらに備え、
前記表示装置は、
前記情報取得手段が取得した情報を表示する
請求項４に記載の光照射装置。
【請求項６】
外部からの情報を通信により取得する通信手段をさらに備え、
前記表示装置は、
前記通信手段が取得した情報を表示する
請求項４または５に記載の光照射装置。
【発明の詳細な説明】
【技術分野】
【０００１】
本発明は、対象物に光を照射して処理を行う光照射装置に関する。
【背景技術】
【０００２】
対象物に光を照射して処理を行う光照射装置として、例えば、人の皮膚に存在する体毛に対して抑毛処理を行うための機器を例示することができる。このような光照射装置は、レーザダイオードやフラッシュランプから出射される光のエネルギを体毛に伝えて毛乳頭を加熱し、抑毛処理を行う光照射装置が知られている。このような光照射装置は、誤って光が眼に照射されることを防止する安全装置が設けられている。
【０００３】
例えば、特許文献１に記載の光照射装置には、光が通過する領域の外周部に皮膚との接触を検出するセンサを設け、前記センサが人との接触を検出したときのみ光を出射させる安全装置が備えられている。
【先行技術文献】
【特許文献】
【０００４】
【特許文献１】特表２００６−５２５０３６号公報
【発明の概要】
【発明が解決しようとする課題】
【０００５】
ところが、光が通過する領域の外周部にセンサが設けられている場合、前記領域を覆うことなく外側から指などでセンサに触れることができるため、光が通過する領域を塞ぐことなく光が出射され、光が眼などに入射する恐れがある。
【０００６】
本発明は、上記従来の問題点に鑑みたものであって、不本意に光が眼に入射することを防止できる光照射装置の提供を課題とする。
【課題を解決するための手段】
【０００７】
本発明の１つである光照射装置は、光が出射される出射部を対象物に押し当てた状態で対象物に光を照射する光照射装置であって、光源と、前記出射部が対象物に接触したことを検出する接触検出手段と、使用者の瞳が光の照射領域以外に存在することを検出する瞳検出手段と、前記接触検出手段が接触を検出し、かつ、前記瞳検出手段が瞳を検出した場合にのみ所定光量の光を前記出射部から出射させる制御手段とを備える。
【発明の効果】
【０００８】
本発明により、出射部が対象物に接触し、かつ、使用者の瞳が光の照射領域以外になければ、所定光量の光が出射されないため、不本意に光が使用者の眼に入射することを防止できる。
【図面の簡単な説明】
【０００９】
【図１】図１は、光照射装置を模式的に示す図である。
【図２】図２は、瞳検出手段と、表示装置を表示画面側から見た平面図である。
【図３】図３は、光出射側から出射部１０１を示す平面図である。
【図４】図４は、制御手段の機能部を制御手段に接続される機構部等と共に示すブロック図である。
【図５】図５は、表示画面の別態様を示す図である。
【図６】図６は、光照射装置を人の腕に使用した状態を模式的示すイメージ図である。
【図７】図７は、光照射装置の別態様を示す斜視図である。
【図８】図８は、情報取得手段の別態様を示す図である。
【発明を実施するための形態】
【００１０】
次に、本発明に係る光照射装置の実施の形態について、図面を参照しつつ説明する。なお、以下の実施の形態は、本発明に係る光照射装置の一例を示したものに過ぎない。従って本発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１１】
また、図面は、本発明を示すために適宜強調や省略、比率の調整を行った模式的な図となっており、実際の形状や位置関係、比率とは異なる場合がある。
【００１２】
図１は、光照射装置を模式的に示す図である。
【００１３】
図２は、瞳検出手段と、表示装置を表示画面側から見た平面図である。
【００１４】
図３は、光出射側から出射部１０１を示す平面図である。
【００１５】
これらの図に示すように、光照射装置１００は、片手で把持可能な大きさであり、出射部１０１を人に押し当てた状態で対象物である人に光２００を照射する装置であって、光源１０２と、接触検出手段１０５と、瞳検出手段１０３と、制御手段１０４とを備えている。本実施の形態の場合、光照射装置１００はさらに、光学系１０６と、表示装置１０７と、情報取得手段１０８と、通信手段１０９とを備えている。
【００１６】
出射部１０１は、光照射装置１００の筐体１１０の内部から外方に向かって光を出射する部分であり、また、人の皮膚などに押し付けられる部分である。出射部１０１は、光が通過する領域である出射領域１１１を備えている。本実施の形態の場合、出射領域１１１は、筐体１１０に貫通状に設けられた孔であり、出射領域１１１全体にわたって光２００がほぼ一様に通過する領域となっている。
【００１７】
光源１０２は、対象物の表面、例えば皮膚や毛根など人体の表面に存在する部分に作用して影響を与えることができる光２００を出射することができる素子である。具体的に例えば、レーザダイオードや、発光ダイオードなどの単一波長の光を出射する素子や、キセノンランプなど比較的広い波長範囲の光を出射する素子、またこれらを複合的に組み合わせた素子群であってもかまわない。本実施の形態の場合、光源１０２として近赤外の光２００を出射するレーザダイオードを例示して説明する。
【００１８】
本実施の形態の場合、光源１０２から出射される光２００を人に対する処理に適した光２００に変換するために光学系１０６を用いている。具体的に光学系１０６として、レンズ１６１とミラー１６２とを備えている。
【００１９】
レンズ１６１は、光源１０２から出射される光２００が拡散していくため、拡散する光２００を所定の距離に届かせるために発散角の変更を変更する。本実施の形態の場合、光源１０２から出射される光２００をレンズ１６１により平行光となるように変更している。また、平行光となった光２００の径は、出射領域１１１の直径よりも、大きい径となるようにレンズ１６１は設定されている。なお、レンズ１６１は、複数のレンズを組み合わせたものも含まれる。
【００２０】
ミラー１６２は、レンズ１６１で拡大した光２００を出射部１０１の出射領域１１１に向かって反射させる平面の鏡である。
【００２１】
なお、光学系１０６は、レンズ１６１やミラー１６２に限定されるものではなく、絞り、フィルタ、シャッターなど、いろいろな光学部材を任意に組み合わせてもよい。
【００２２】
接触検出手段１０５は、出射領域１１１の周縁に配置されるセンサ１５１を備え、出射部１０１を人の皮膚など対象物の表面との接触を検出する装置である。接触検出手段１０５の種類は特に限定されるものではないが、例えば対象物が皮膚の場合、皮膚が触れたことによる静電容量の変化に基づき接触を検出するものや、電気抵抗の変化に基づき皮膚との接触を検出するものを例示できる。また、接触検出手段１０５は、押圧力を検出するスイッチや、近接センサなどでもかまわない。本実施の形態の場合、接触検出手段１０５は、皮膚と直接接触するセンサ１５１を出射領域１１１の周囲に均等に４つ設けられている（図３参照）。
【００２３】
本実施の形態の場合、接触検出手段１０５は、接触をセンシングするセンサ１５１とセンサ１５１からの信号を取得して接触状態か否かの判断を行う処理部である接触判断部１５２とを備えている（図４参照）。
【００２４】
瞳検出手段１０３は、少なくとも使用者の瞳が光２００の照射領域以外に存在することを検出することができる装置である。瞳検出手段１０３の瞳を検出する方法は、特に限定されるものではないが、本実施の形態の場合、瞳検出手段１０３は、デジタルカメラである瞳用カメラ１３１を備え、瞳用カメラ１３１で撮像された画像について画像処理を行い、光彩、白目、まぶたなどに基づき画像中に瞳が存在しているか否かを判断する方法を例示できる。また、瞳検出手段１０３が備える瞳用カメラ１３１の視野を光２００の照射領域以外に設定することで、瞳用カメラ１３１が撮像した画像に瞳が存在していると判断された場合、瞳が光２００の照射領域以外に存在していることが検出できる。
【００２５】
瞳用カメラ１３１は、表示装置１０７を介して光照射装置１００の筐体１１０に取り付けられている。また、瞳用カメラ１３１は、出射部１０１と背中合わせの関係になるように配置されており、瞳用カメラ１３１の視野の方向は、出射部１０１から出射される光の方向の反対側に向いている。なお、表示装置１０７は、筐体１１０に対し傾きを変更し、また、回動できるように取り付けられている。従って、瞳用カメラ１３１の視野も表示装置１０７の動きに連動して移動するが、表示装置１０７の可動範囲は、瞳用カメラ１３１の視野が光２００の照射領域に重なることはないように設定されている。
【００２６】
また、瞳検出手段１０３が備える瞳用カメラ１３１は、光照射装置１００を使用する使用者の両目の瞳を同時に撮像できる画角を有している。具体的には、使用者が光照射装置１００の筐体１１０を把持した状態で、筐体１１０に対する表示装置１０７の角度を調整することにより、少なくとも使用者の両目が撮像できる画角を有している。
【００２７】
なお、瞳検出手段１０３のうち、瞳を検出する画像処理を行う画像処理部１３２は、いずれの箇所に備わっていてもかまわない。本実施の形態の場合、制御手段１０４の一部として画像処理部が備えられている（図４参照）。
【００２８】
また、画像処理部１３２は、瞳用カメラ１３１により撮像された瞳、および、瞳の周囲の画像に基づき使用者の視線が所定の領域内にあるか否かを検出することも可能となっている。具体的に例えば、画像処理部１３２は、瞳用カメラ１３１により撮像された眼の画像に基づき瞳孔、虹彩、プルキニエ像を特定し、これらに基づき、また、白目、まぶたなどとの関係に基づき視線の方向を特定する方法を例示出来る。ここで、瞳検出手段１０３は、瞳に基づき使用者の視線を検出しており、視線を検出することは瞳を検出することに包含されるものである。
【００２９】
制御手段１０４は、接触検出手段１０５から取得する情報、および、瞳検出手段１０３から取得する情報に基づき、出射部１０１が対象物に接触したことを検出し、かつ、使用者の瞳が光２００の照射領域以外に存在することを検出した場合にのみ所定光量の光２００を出射部１０１から出射させる装置である。
【００３０】
ここで、所定光量とは人体など対象物に対して所望の処理を行う事ができる程度の光量を意味し、例えば処理の位置を示すためのみに対象物に照射される弱い光を除外する意味で用いている。また、所定光量の光２００を出射させるとは、例えば、光源１０２を消灯状態から点灯させるばかりでなく、光源１０２からは同じ光量のパルス状の光が周期的に出射しているが、安全上問題のないデューティー比から所望の処理を行う事ができるデューティー比に変更する場合なども含まれる。また、光源１０２から所定の光量の光２００が出射しているが、シャッターなどの物理的機構により遮られることにより出射領域１１１から光２００が出射していない状態からシャッターなどを解放して出射させる場合も所定光量の光２００を出射させることになる。
【００３１】
制御手段１０４の具体的な態様は特に限定されるものではなく、例えば、入出力素子と演算素子と記憶素子とを組み合わせ、記憶素子に記憶されているプログラムを実行することにより制御を行ういわゆるコンピュータや、電子部品を組み合わせた回路に基づき制御を行うもの、リンク機構、カム機構、および、歯車機構等の１つまたは複数を組み合わせて光２００の出射を制御するものなども制御手段１０４に含まれる。
【００３２】
図４は、制御手段の機能部を制御手段に接続される機構部等と共に示すブロック図である。
【００３３】
本実施の形態の場合、制御手段１０４は、いわゆるコンピュータであり、取得した信号を処理して判断を行い、判断結果に基づく命令を示す信号を出力する処理判断部１４１、種々の情報を表示装置１０７に表示させる情報表示部１４２、光源１０２を駆動し、光量を制御する光源駆動部１４３、外部との通信による情報を処理する通信処理部１４４を備えている。また、制御手段１０４は、各機構部から出力される信号を処理して処理判断部１４１に出力する処理部、処理判断部１４１から取得した信号に基づき各機構部を制御する処理部も備えている。なお、各処理部の内容については、別途説明する。
【００３４】
情報取得手段１０８は、光２００が照射される対象物の領域の情報を取得する装置である。情報取得手段１０８の情報の取得方法は、特に限定されるものではないが、本実施の形態の場合は、光照射装置１００の筐体１１０内から出射部１０１の開口を臨む照射部カメラ１８１を情報取得手段１０８は備えている。また、情報取得手段１０８は、照射部カメラ１８１が出力した画像を処理する情報取得部１８２も備えている。具体的に例えば、情報取得手段１０８は、照射部カメラ１８１で処置部位を撮像し、この映像を表示装置１０７に映し出すことにより、使用者に処理途中の毛の状態、肌の状態、ホクロの有無、しみの有無の情報を提示することができる。また、情報取得手段１０８は、情報取得部１８２が画像処理を行い、ホクロやしみを検出した場合に所定光量の光２００を出射部１０１から出射させないようにしてもかまわない。
【００３５】
表示装置１０７は、静止画、動画などを表示することができる液晶や有機ＥＬなどからなるいわゆるモニタである。本実施の形態の場合、表示装置１０７のフレーム部分には瞳用カメラ１３１が取り付けられている。また、表示装置１０７は、照射部カメラ１８１が撮像した画像のほか、処理判断部１４１が形成した画像、通信手段１０９が取得した情報等を表示することができる。
【００３６】
表示装置１０７は、例えば図２に示すように、「照射」と表示された領域と、「ＯＦＦ」と表示された領域とを表示画面１７１の一部に表示することができる。ここで本実施の形態の場合、瞳検出手段１０３は、使用者の視線を検出し、視線が所定の領域内にあるか否かを判断することができるものである。従って、表示装置１０７の表示画面１７１内に配置される「照射」と表示された領域を所定の領域とし、使用者の視線が「照射」と表示された領域内にある場合にのみ瞳検出手段１０３は、所定光量の光２００を出射部１０１から出射させる情報を出力してもかまわない。
【００３７】
さらに、瞳検出手段１０３と表示装置１０７とを連動させることにより、例えば、「ＯＦＦ」と表示された領域に視線がある場合は、瞳検出手段１０３は、所定光量の光２００を出射部１０１から出射させない情報を出力してもよい。また、視線が「ＵＰ」と表示された領域に在る場合は、光２００の光量を増加させる情報を瞳検出手段１０３が出力し、「ＤＯＷＮ」と表示された領域に視線がある場合は、光２００の光量を増加させる情報を瞳検出手段１０３が出力してもかまわない。
【００３８】
また例えば、図２に示すように、使用者の視線が「照射」と表示された領域に入り、他の条件が揃った状態で、光源駆動部１４３は、所定光量の光２００を光源１０２に出射させると、情報表示部１４２は、表示装置１０７の表示画面１７１を図５に示すような表示に変更してもかまわない。
【００３９】
この場合、瞳検出手段１０３が検出する視線が表示画面１７１内にあれば所定光量の光２００を出射し続けるように制御手段１０４手段は制御してもよく、また、視線が表示画面１７１から所定時間外れた場合に所定光量の光２００の照射を停止する制御をしてもかまわない。
【００４０】
図５には、情報取得手段１０８の照射部カメラ１８１が撮像している肌などの対象物の表面の画像を、情報取得部１８２を経由して表示画面１７１全体に情報として表示すると共に、その他の情報を重畳的に表示された画像が示されている。その他の情報としては、照射の経過時間を示すグラフや、照射強度、ホクロの有無、しみの有無、全体的な状態などが表示されている。さらに、通信手段１０９が外部、例えばインターネットから取得した情報を、通信処理部１４４を介して表示してもかまわない。
【００４１】
このように、表示装置１０７に種々の情報を表示させることで、使用者は光２００を照射している間、飽きることなく表示画面１７１を見続けることができる。従って、光２００が眼に入射する事態を防止しつつ、有用な情報を使用者に提供することができる。
【００４２】
次に、光照射装置１００の使用態様を説明する。
【００４３】
図６は、光照射装置を人の腕に使用した状態を模式的示すイメージ図である。
【００４４】
同図に示すように、使用者３００は、光照射装置１００の把持部１１２を把持し、出射部１０１を使用者３００の腕３１０の表面に押し当てる。接触検出手段１０５は、出射部１０１に取り付けられている全てのセンサ１５１から接触を示す信号が出力された場合、出射部１０１が対象物である腕３１０の表面に接触した旨を示す信号を出力する。
【００４５】
また、使用者３００は、把持している光照射装置１００の表示装置１０７を表示画面１７１が見やすいように傾ける。この段階で瞳検出手段１０３の瞳用カメラ１３１は、使用者３００の両目が撮像できる状態となる。ここで、使用者３００が視線を表示画面１７１の「照射」と表示される領域に視線３０１を入れると瞳検出手段１０３は、使用者３００の視線３０１が所定の領域内にある旨を示す信号を出力する。
【００４６】
制御手段１０４の処理判断部１４１は、接触検出手段１０５からの前記信号を取得して接触が維持されていると判断し、かつ、瞳検出手段１０３からの前記信号を取得することにより、光源駆動部１４３を制御して所定光量の光２００の光を光源１０２に照射させる。本実施の形態の場合、光源１０２から照射される光２００は、赤外線である。
【００４７】
一方、情報取得手段１０８は、光照射装置１００の筐体１１０内に配置されるＬＥＤの照明装置（図示せず）により光２００の照射部分である腕３１０の表面を可視光で明るくし、照射部カメラ１８１で腕３１０の表面を撮像する。撮像された画像は動画として情報取得部１８２により制御手段１０４に入力される。
【００４８】
制御手段１０４は、表示装置１０７の画面を図５に示すような画像に切り替えて、光２００を照射中の腕３１０の表面（肌）の状態をリアルタイムで表示させる。また、その他の情報、例えば、光２００の照射開始からの経過時間、残り時間、光２００の光量などの情報を表示させる。さらに、制御手段１０４は、通信手段１０９を介して通信処理部１４４が取得した情報、例えば広告などの情報も表示させる。
【００４９】
瞳検出手段１０３は、光２００の照射中においては、使用者３００の視線３０１を所定の間隔で検出している。制御手段１０４は、瞳検出手段１０３からの情報を取得して、視線３０１が表示画面１７１内に存在している場合は光２００の照射を続行し、視線３０１が表示画面１７１の外に存在している場合は光２００の照射を中断するとともに、視線３０１を表示画面１７１内に戻すことを促す情報を表示装置１０７に表示する。例えば、表示画面１７１全体を赤くするなどである。
【００５０】
接触検出手段１０５も、光２００の照射中においては、出射部１０１が腕３１０に接触しているか否かを所定の間隔で検出している。制御手段１０４は、接触検出手段１０５からの情報を取得して、接触が検出されている場合は光２００の照射を続行し、接触が検出されていない場合は光２００の照射を中断するとともに、出射部１０１を腕３１０に接触させることを促す情報を表示装置１０７に表示する。例えば、「照射部分が肌から離れています。」などのテキストを表示するなどである。
【００５１】
制御手段１０４は、所定光量の光２００の照射開始から所定の時間経過すると、所定光量の光２００の照射を終了する。制御手段１０４は、光２００の照射が終了したことを示す情報を表示装置１０７に表示させる。
【００５２】
以上により、所定光量の光２００を照射する一連の行程が終了する。異なる場所で光２００を照射する場合は、上記と同様の行程を繰り返せば良い。
【００５３】
本実施の形態に係る光照射装置１００によれば、出射部１０１が腕３１０などの対象物に対し、適切に接触していることを接触検出手段１０５が検出し、同時期に使用者の瞳が光２００の照射領域外にあることを瞳検出手段１０３が検出することでのみ所定光量の光２００が出射部１０１から出射されるため、光２００が使用者３００の眼に入射することを防止出来る。
【００５４】
さらに、使用者３００の目線の位置によって、光照射装置１００の制御を行うことができるため、使用者３００の両手がふさがった状態でも、光２００の光量の上げ下げなども行う事が可能となる。
【００５５】
また、光２００を照射している間、表示画面１７１に様々な情報を提示することで、使用者３００が飽きることなく表示画面１７１を見続けることができるため、出射部１０１から不本意に漏れ出した光２００が使用者の眼に入ることを防止できる。
【００５６】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００５７】
例えば、瞳検出手段１０３が使用者３００の視線３０１を検出するものとして説明したが、瞳検出手段１０３は視線３０１を検出することなく瞳を検出するものであってもかまわない。また、瞳検出手段１０３が使用者３００の両方の瞳を同時に検出した場合のみ瞳を検出したとして所定光量の光２００を出射部１０１から出射させてもかまわない。
【００５８】
また、瞳用カメラ１３１を１台備えた場合を説明したが瞳用カメラ１３１は２台以上備えても良く、別々の瞳用カメラ１３１が使用者３００の両目をそれぞれ撮像してもかまわない。
【００５９】
また、瞳用カメラ１３１を表示装置１０７にフレームに固定されている場合を説明したが、瞳用カメラ１３１は、表示装置１０７と別体であってもかまわない。
【００６０】
また、筐体１１０に対し表示装置１０７、瞳用カメラ１３１が回動・傾動可能に固定された場合を説明したが、図７に示すように、筐体１１０に対し、表示装置１０７、瞳用カメラ１３１が別体であってもかまわない。この場合、筐体１１０内の制御手段１０４と瞳用カメラ１３１、表示装置１０７とは、有線および無線の少なくとも一方で通信できるものでもよい。
【００６１】
また、情報取得手段１０８は、照射部カメラ１８１を備えるばかりでなく、図８に示すように、レーザー光などの光を対象物の表面に照射してその反射光に基づき表面の反射率を検出する検出装置１８３を備えてもよい。この場合、図８の右側に示すように、毛、ホクロ、シミなどがあった場合、これらがない場合に比べて反射率が低下するため、検出装置１８３を備えた情報取得手段１０８は、毛、ホクロ、シミなどの検出情報を出力してもかまわない。
【００６２】
また、光照射装置１００は、出射部１０１の開口を覆うカバーや拡散板を備えてもかまわない。また、カバーや拡散板を、接触を検出する部材として機能させてもかまわない。
【産業上の利用可能性】
【００６３】
上記光照射装置は、脱毛や抑毛のための光や肌質改善のための光などを皮膚に照射する理美容機器や、光を照射して樹脂を硬化させる紫外線照射装置などに利用できる。
【符号の説明】
【００６４】
１００  光照射装置
１０１  出射部
１０２  光源
１０３  瞳検出手段
１０４  制御手段
１０５  接触検出手段
１０６  光学系
１０７  表示装置
１０８  情報取得手段
１０９  通信手段
１１０  筐体
１１１  出射領域
１１２  把持部
１３１  瞳用カメラ
１３２  画像処理部
１４１  処理判断部
１４２  情報表示部
１４３  光源駆動部
１４４  通信処理部
１５１  センサ
１５２  接触判断部
１６１  レンズ
１６２  ミラー
１７１  表示画面
１８１  照射部カメラ
１８２  情報取得部
１８３  検出装置
２００  光
３００  使用者
３０１  視線
３１０  腕
【図１】
2018201985.tif 000003
【図２】
2018201985.tif 000004
【図３】
2018201985.tif 000005
【図４】
2018201985.tif 000006
【図５】
2018201985.tif 000007
【図６】
2018201985.tif 000008
【図７】
2018201985.tif 000009
【図８】
2018201985.tif 000010